(57)【要約】  本発明の目的は、ハウジング内で偏心回転するサイクロイドローターの外歯と噛み合うインナーピン、又はサイクロイドローターの貫通孔の内部に配置されたローターピンを弾性変形可能な円筒型の構造に設計し、構成部材間のバックラッシを除去（防止）することができる減速機を提供することにある。  本発明は、バックラッシュ防止機能を有するサイクロイド減速機に関し、入力シャフトの外周面上に偏心回転可能に積層配列された１つ以上のサイクロイドローターの貫通孔内に挿入されて出力シャフトに出力トルクを伝達する弾性変形可能なローターピンと、１つ以上のサイクロイドローターの歯形突起と噛み合う弾性変形可能なインナーピンと、を手段としてバックラッシュを除去（防止）することができる。また、本発明は、軸線方向に配列された１つ以上のサイクロイドローターにディスク型ブッシュを配置し、出力シャフトにディスクスプリングを配置することにより、スラスト方向に予圧を付与することができる構造を有する。
2020533545.tif 000002
【特許請求の範囲】
【請求項１】
入力トルクを減速する減速部１と、前記減速部１を介して、あらかじめ設定された減速トルクを伝達されて外部に出力トルクを伝達する出力部２と、を備えたサイクロイド減速機であって、
前記減速部１のサイクロイドローターの内部領域に円周方向へ等間隔で配置された多数の貫通孔（１３６、１４６）内から後段側に向けて伸張されている多数の弾性変形可能なローターピン１６を含んで構成され、
前記ローターピン１６は、内部に中空部１６１を有して弾性変形可能な円筒型の部材を含み、前記ローターピン１６は、上段部が出力シャフト２１の収容溝２１２に軸結合されて上部が閉鎖されたことを特徴とする、バックラッシュ防止機能のサイクロイド減速機。
【請求項２】
入力トルクを減速する減速部１と、前記減速部１を介して、あらかじめ設定された減速トルクを伝達されて外部に出力トルクを伝達する出力部２と、を備えたサイクロイド減速機であって、
前記減速部１のサイクロイドローターの内部領域に円周方向へ等間隔で配置された多数の貫通孔（１３６、１４６）内から後段側に向けて伸張されている多数の弾性変形可能なローターピン１６を含んで構成され、
前記ローターピン１６は、内部に中空部１６１を有して弾性変形可能な円筒型の部材を含み、前記ローターピン１６は、下段部から長さ方向にスロット１６２を追加で形成することを特徴とする、バックラッシュ防止機能のサイクロイド減速機。
【請求項３】
前記減速部１は、入力トルクを伝達される入力シャフト１１と、前記入力シャフト１１を収容することができる中空型のハウジング１２と、をさらに含み、
前記サイクロイドローターは、エッジの周囲に沿って形成された歯形突起（１３５、１４５）を有して、前記入力シャフト１１の外周面上に偏心回転可能に軸線方向に積層配列されていることを特徴とする、請求項１又は２に記載のバックラッシュ防止機能のサイクロイド減速機。
【請求項４】
前記減速部１は、前記サイクロイドローターの歯形突起（１３５、１４５）と接触可能に前記ハウジング１２の内周面の周囲に沿って配置されている多数のインナーピン１５と、をさらに含み、
前記インナーピン１５は、弾性変形可能であり、内部に中空部１５１を有する円筒型の部材を含むことを特徴とする、請求項３に記載のバックラッシュ防止機能のサイクロイド減速機。
【請求項５】
前記出力部２は、中空型の本体２１１と、前記本体２１１の一面の中央部から後段側に長さ延長された中空型のジャーナル２１３と、前記ローターピン１６の一端部を収容するように、前記本体２１１の前段側に円周方向へ等間隔で配置された収容溝２１２と、を備え、
出力トルクを外部に伝達する出力シャフト２１と、前記出力シャフト２１を収容することができる中空型のハウジングカバー２２と、を含んで構成されることを特徴とする、請求項１又は２に記載のバックラッシュ防止機能のサイクロイド減速機。
【請求項６】
前記サイクロイドローターは、前記貫通孔（１３６、１４６）の内周面の周りにチューブ型ブッシュ１７を配置することを特徴とする、請求項１又は２に記載のバックラッシュ防止機能のサイクロイド減速機。
【請求項７】
前記チューブブッシュ１７は、低い摩擦係数を有する合成樹脂で製作され得ることを特徴とする、請求項６に記載のバックラッシュ防止機能のサイクロイド減速機。
【発明の詳細な説明】
【技術分野】
【０００１】
本発明は、バックラッシュ防止機能がついたサイクロイド減速機に関する。
【背景技術】
【０００２】
産業用ロボットは、アクチュエータモータ、サーボモータなどを通して多数の関節自由度を有する関節構造に動きを提供している。ロボットの関節は、サーボモータなどから高出力トルクを得るために、サーボモータの出力段に減速機を設置するのが一般的である。
【０００３】
産業用ロボットは、減速のためにハーモニック駆動（harmonic  drive）方式又はサイクロイド駆動（cycloidal  drive）方式を採用しているが、例えば、特許文献１のサイクロイド減速機は、サイクロイドディスクの外歯が出力シャフトの内歯と噛み合って回転することにより、入力シャフトの回転力を減速して出力シャフトに伝達する構造を介して大きなトルクの伝達が可能であり、減速比が大きいため、多様な分野の減速装置として使用されている。しかしながら、特許文献１に記載されているように、サイクロイド歯形ギヤの並進運動による騒音、振動及びバックラッシュのために位置精度の限界を有する問題をもたらしている。
【０００４】
簡単に、特許文献１では、互いに分離製作された第１のサイクロイドディスクと第２のサイクロイドディスクの１ペアが相互対面する状態で１組１セットに構成されており、各ディスクに形成された歯形の間に微小な位相差を提供してバックラッシュを低減するように働くと記述されている。
【０００５】
しかし、第１のサイクロイドディスクの外歯及び第２のサイクロイドディスクの外歯は、出力部材の内歯と部分的に噛み合う過程で、ギヤ（歯車）の回転を助けるために、その背面にバックラッシュ（backlash）を提供するしかない。
【０００６】
当該分野の熟練者は、サイクロイドディスクの外周面に形成された外歯と噛み合う部分にローラ（roller）を配置しているが、これもバックラッシュのような余裕空間なしに、ローラの回転を保障できなくなる。
【先行技術文献】
【特許文献】
【０００７】
【特許文献１】韓国登録特許第１０−１４２４７３９号公報
【発明の概要】
【発明が解決しようとする課題】
【０００８】
本発明は、上記従来技術に鑑みてなされたものであって、本発明の目的は、ハウジング内で偏心回転するサイクロイドローターの外歯と噛み合うインナーピン、又はサイクロイドローターの貫通孔の内部に配置されたローターピンを弾性変形可能な円筒型の構造に設計し、構成部材間のバックラッシを除去（防止）することができる減速機を提供することにある。
【課題を解決するための手段】
【０００９】
前記目的を達成するために、本発明の好ましい実施形態によるバックラッシュ防止機能を有するサイクロイド減速機は、入力トルクを減速する減速部と、この減速部を通じてあらかじめ設定された減速トルクを伝達されて外部に出力トルクを伝達する出力部と、を備え、
減速部は、入力トルクを伝達される入力シャフトと、入力シャフトを収容することができる中空型のハウジングと、内部領域に円周方向へ等間隔で配置された多数の貫通孔とエッジの周囲に沿って形成された歯形突起を有し、入力シャフトの外周面上に偏心回転可能に軸線方向に積層されている１つ以上のサイクロイドローターと、１つ以上のサイクロイドローターの歯形突起と接触可能にハウジングの内周面の周囲に沿って配置されている多数の弾性変形可能なインナーピンと、軸線方向に配置された多数の貫通孔内で後段側に向けて伸張されている多数の弾性変形可能なローターピンと、からなり、
出力部は、空中型の本体と、本体の一面の中心部から後端側に長さ延長された空中型のジャーナルと、弾性変形可能なローターピンの一端部を収容するように本体の前端側に円周方向へ等間隔で配置された収容溝を有し、出力トルクを外部に伝達する出力シャフトと、出力シャフトを収容することができる空中型ハウジングカバーと、からなっている。
【００１０】
本発明の実施形態では、弾性変形可能なインナーピンは、偏心回転時に、サイクロイドローターの歯形突起に予圧を提供して、インナーピンとサイクロイドローターの歯形突起との間にバックラッシを防止することができるよう、内部に中空部を有する円筒型部材からなる一方、弾性変形可能なローターピンは、偏心回転時に、サイクロイドローターの貫通孔に予圧を提供してローターピンとサイクロイドローターの貫通孔との間にバックラッシュを防止することができるよう、内部に中空部を有する円筒型部材からなっている。
【００１１】
さらに、本発明は、弾性変形可能なインナーピンの下端部から長さ方向にスロットを追加で形成することができ、弾性変形可能なローターピンの下端部から長さ方向にスロットを追加で形成することができる。
【００１２】
本発明は、出力シャフトのスラスト荷重に対する遊び（裕隔）を除去するために弾性力を介して予圧を提供することができるように、本体とジャーナルの交差点にディスクスプリングを追加で配置することができる。
【００１３】
選択可能になるように、ディスクスプリングは、弾性力を有する素材で製作され得る。
【００１４】
好ましくは、空中型のハウジングは、内部領域の中央に入力シャフトの貫通を許容する中心孔を有する環状プレートと、環状のプレートのエッジの周囲に沿って形成された側壁と、中心孔のエッジの周囲に形成された段差部と、インナーピンを軸線方向に配置させるため、内周面の周囲に沿って円周方向に等間隔で配置された収容溝と、を備えることができる。
【００１５】
好ましくは、空中型のハウジングカバーは、内部領域の中央に出力シャフトの貫通を許容する中心孔を有する環状プレートと、環状のプレートのエッジの周囲に沿って形成された側壁と、中心孔のエッジの周囲に形成された段差部と、を備えることができる。
【００１６】
本発明は、ローターピンとサイクロイドローターの貫通孔との間に摩擦力を減少させるため、貫通孔の内周面の周囲にチューブ型ブッシュを配置することができる。
【００１７】
好ましくは、本発明は、１つ以上のサイクロイドローターの間にディスク型ブッシュを介在することができ、選択可能になるように積層配列された１つ以上のサイクロイドローターの前段側と後段側にディスク型ブッシュを追加で配置することができる。
【００１８】
ここで、チューブ型ブッシュとディスク型ブッシュは、低い摩擦係数を有する合成樹脂で製作され得る。
【００１９】
ディスク型ブッシュはローターピンの貫通を許容する挿通孔を追加で形成することができる。
【００２０】
本発明の特徴及び利点は、添付図面に基づいた次の詳しい説明でさらに明らかになるだろう。
【００２１】
これに先立ち、本明細書及び請求の範囲で使用された用語や単語は、通常的かつ辞典的な意味に解釈してはならず、発明者が自分の発明を最も最良の方法で説明するために、用語の概念を適切に定義することができるという原則に基づいて、本発明の技術的思想に符合する意味と概念に解釈されるべきである。
【発明の効果】
【００２２】
以上、本発明の説明によれば、本発明は、サイクロイドローターの偏心回転時に、サイクロイドローターと接触するインナーピン及び/又はローターピンとの間にバックラッシュを除去して優れた位置決め精度、耐久性、トルク伝達能力を向上させることができる。
【００２３】
特に、本発明は、バックラッシュを防止するために、別途の構成部材がなくても、単純に中空のインナーピン及び/又はローターピンの弾性変形を介して実現され得る。
【００２４】
本発明は、スラスト方向の荷重に対する構成部材間の遊びを除去し、予圧を付与するスプリング効果を有する構造を提供することができる。これは高価なローラーベアリングの代わりに低価格のボールベアリングを採択することができる利点とともに構造の安定化を介して低摩擦駆動、騒音、及び振動を未然に防止することができる。
【図面の簡単な説明】
【００２５】
【図１】本発明の好ましい実施形態によるバックラッシュ防止機能を有するサイクロイド減速機を概略的に示す斜視図である。
【図２】図１に示されたバックラッシュ防止機能を有するサイクロイド減速機を後段側から見た分解斜視図である。
【図３】図１に示されたバックラッシュ防止機能を有するサイクロイド減速機を前段側から見た分解斜視図である。
【図４】図１のＡ−Ａ線で切り取ったバックラッシュ防止機能を有するサイクロイド減速機の断面図である。
【図５】出力シャフトの配列状態を確認できるように、ハウジングカバーを取り外した状態の出力部を概略的に示す分解斜視図である。
【図６】サイクロイドローターの配列状態を確認できるように、出力部を除去した状態の減速機を後段側から示す平面図である。
【図７】入力シャフトの軸上に配置された２つのサイクロイドローターの結合状態を確認できるように示す平面図として、図６に示された減速部でディスク型ブッシュとハウジングを除去した。
【図８】入力シャフトの軸上に配置された２つのサイクロイドローターの結合状態を確認できる側面図として、図７に示された減速部を側面から見た図面である。
【図９】図２に示された減速部の要部を概略的に示す分解斜視図である。
【図１０】多様なタイプのローターピンを図解した図面である。
【図１１】多様なタイプのインナーピンを図解した図面である。
【図１２】本発明の弾性変形可能な中空型のローターピンと従来のソリッド型のローターピンの応力分布図である。
【発明を実施するための形態】
【００２６】
本発明の目的、特定の利点及び新規な特徴は、添付された図面と関連付けられている、以下の詳しい説明と実施形態からさらに明らかになるだろう。本明細書では、各図面の構成要素に参照符号を付加するにあたって、同一の構成要素に限っては、たとえ他の図面上に表示されても、可能な限り同一の符号を有するようにしていることに留意しなければならない。なお、本発明を説明するにあたって、関連した公知技術に対する具体的な説明が本発明の要旨を不必要に曖昧にすると判断される場合、その詳しい説明は省略する。本明細書では、第１、第２などの用語は、１つの構成要素を他の構成要素から区別するために使用されるものであり、構成要素が前記用語によって限定されるものではない。添付図面において、いくつかの構成要素は、誇張されたり、省略されたり、概略的に図示されたりしており、各構成要素のサイズは、実際のサイズを完全に反映するものではない。
【００２７】
以下、添付された図面を参照して、本発明の実施形態を詳しく説明することにする。本発明の好ましい実施形態によるサイクロイド減速機は、サイクロイドローターの偏心回転運動にもかかわらず、バックラッシュを無くし位置決め精度と耐久性の向上を期待することができ、これにより、騒音や振動を低減させることができるように設計されていることを特徴とする。
【００２８】
図１〜図９を参照すると、本発明の好ましい実施形態によるバックラッシュ防止機能を有するサイクロイド減速機が概略的に図解されている。
【００２９】
当該分野の熟練者には、すでに広く知られているように、産業用ロボットは、動力発生用モータと、このモータの入力トルクを減速する減速機を必要とする。本発明は、モータ、例えばサーボモータの入力トルクを減速するだけでなく、先に記述されたようにバックラッシュを防止（あるいは低減）させることができる減速機を提案するものである。本発明による減速機は、産業用多関節ロボットに限定されず、多様な産業分野に採用され得るであろう。
【００３０】
本発明の好ましい実施形態によるバックラッシュ防止機能を有するサイクロイド減速機は、軸線方向に沿って結合されている駆動装置（図示せず）と出力装置（図示せず）との間に動力伝達可能に結合され得る。駆動装置は、減速機の前段側の入力段に配置されて、モータの回転力を通じて後段設備である減速機の中空型入力シャフトを回転駆動させることができる。出力装置は、減速機の後段側の出力段に配置されて駆動装置のモーターなどの入力トルクを減速機内に配置されたサイクロイドローターの偏心回転を介して、あらかじめ設定された減速トルクを伝達されて出力トルクを外部に伝達する。ここで、前段側とは、駆動装置の入力トルクを供給されて中空型入力シャフトに向けて方向設定された入力段を意味し、これに対応される後段側とは、出力トルクを外部に伝達する中空型出力シャフトに向けて方向設定された出力段を意味する。
【００３１】
前述したように、本発明の好ましい実施形態によるバックラッシュ防止機能を有するサイクロイド減速機は、モータなどの駆動装置から提供される入力トルクを減速する減速部１と、駆動装置の入力トルクを減速部１を通して予め設定された減速トルクを伝達されて出力トルクを外部に伝達する出力部２と、で構成されるが、減速部１と出力部２は、軸線方向に沿って結合されている。例えば、本発明は、減速部１のハウジング１２と出力部２のハウジングカバー２２をねじ締結などの多様な結合方式で軸線方向に沿って一体に結合され得る。
【００３２】
減速部１は、モータの入力トルクを伝達される中空型入力シャフト１１と、この入力シャフト１１を取り囲む空中型のハウジング１２と、入力シャフト１１の外周面に結合された１つ以上のサイクロイドローター（cycloid  rotor）（１３、１４）と、サイクロイドローター（１３、１４）の外周面の周囲に形成された歯形突起と噛み合うようにハウジング１２の内周面の周囲に沿って配置された多数のインナーピン（inner  pin）１５と、軸線方向に積層配列された１つ以上のサイクロイドローター（１３、１４）の内部領域に配置されて外部に減速トルクを伝達するローターピン（rotor  pin）１６と、からなる。
【００３３】
ハウジング１２は、後段側を開放した中空の円筒型あるいはコップ型に形成されるが、内部領域の中央に中心孔１２３を有する環状プレート１２１と、この環状プレート１２１のエッジの周囲に沿って形成された側壁１２２と、で構成される。中心孔１２３は、中空型入力シャフト１１の前段側を回転可能に収容することができるサイズと形状に形成されるが、ハウジング１２の中心孔１２３と中空型入力シャフト１１との間に第１のベアリングＢ１を介在することができる。ちなみに、ハウジング１２は、これの内周面の周囲に沿って円周方向に等間隔で配置された収容溝１２５を配置し、収容溝１２５内にインナーピン１５を軸線方向に沿って位置させることができる。
【００３４】
中心孔１２３は、中空型入力シャフト１１前段側の貫通を可能にするサイズと形状に形成されるが、中心孔１２３のエッジに隣接している環状のプレート１２１の内部面に段差部１２４を形成している。段差部１２４は、環状のプレート１２１の内部面に第１のベアリングＢ１の安着を助ける。
【００３５】
サイクロイドローター（１３、１４）は、入力シャフト１１の外周面に形成された１つ以上の段差面（参照符号なし）に配置されるが、好ましくはサイクロイドローター（１３、１４）の中央挿入孔（１３１、１４１）と入力シャフト１１の外周面との間に、第２及び第３のベアリング（Ｂ２、Ｂ３）を介在することができる。サイクロイドローター（１３、１４）は、ベアリング（Ｂ２、Ｂ３）を手段にして入力シャフトの外周面に形成された段差面上に安定的に支持され得るだろう。ここで、１つ以上の段差面は、先に記述されたように中空型の入力シャフト１１の外周面に形成されるが、その軸中心に対して偏心されている。
【００３６】
図示されたように、サイクロイドローター１３は、平らなディスク型に形成されるが、内部領域の中心に入力シャフトの外周面（具体的には、段差面）の周囲に嵌め込まれる中央挿入孔１３１と、内部領域に円周方向へ等間隔で配置された１つ以上の貫通孔１３６と、これのエッジの周囲に沿って連続的に配置された歯形突起１３５と、を備える。
【００３７】
サイクロイドローター１４は、平らなディスク型を有し、サイクロイドローター１３と平行に配列されて入力シャフト１１の軸線方向に沿って配置され得るが、内部領域の中心に入力シャフトの外周面（具体的には、段差面）の周囲に嵌め込まれる中央挿入孔１４１と、内部領域に円周方向へ等間隔で配置された１つ以上の貫通孔１４６と、これのエッジの周囲に沿って連続的に配置された歯形突起１４５と、を備える。サイクロイドローター１４は、サイクロイドローター１３と同一である形状及び/又は同一のサイズに形成され得る。
【００３８】
参考として、サイクロイドローター（１３、１４）は、湾曲形状のラウンディング歯形突起（１３５、１４５）を有し、インナーピン１５と転がり接触する過程でサイクロイドローターの偏心回転時の摩擦を最小化する。
【００３９】
本発明は、サイクロイドローターの偏心回転時の摩擦を最小化するため、サイクロイドローター（１３、１４）のエッジの周囲にインナーピン１５を配置して、インナーピン１５とサイクロイドローターの歯形突起（１３５、１４５）を転がり接触するようにする。
【００４０】
インナーピン１５は、空中型のハウジング１２の内周面の円周に沿って形成された収容溝１２５内に安着される一方、ハウジング１２の開放後段側のエッジの内周面の周囲に配置された環状のカバー１９で覆われて位置固定される。インナーピン１５は、図示されたように、サイクロイドローター（１３、１４）のエッジの周囲の歯形突起（１３５、１４５）と噛み合うように配置して、入力側のスラスト荷重を効果的に支持する一方、サイクロイドローター（１３、１４）の偏心回転が可能になるように支持することができる。
【００４１】
特別として、インナーピン１５は、内部に中空部１５１を有した円筒型部材であって、弾性変形可能な材質で製作され得る。すなわち、インナーピン１５は、中が空いている円筒型の構造を備えるので、インナーピンは、サイクロイドローター（１３、１４）の歯形突起と噛み合う場合に、サイクロイドローター（１３、１４）の歯形突起の形状と対応されるように、インナーピンの形状を変形させることができる。これは、インナーピン１５とサイクロイドローターの歯形突起（１３５、１４５）との間のバックラッシュをなくすことができるようにする。
【００４２】
減速部１は、先に記述したように、入力されたトルクを減速させて高出力トルクに変換する減速トルクを生成し、モーターと連結されて入力トルクを伝達され、これを再び出力部２に伝達する入力シャフト１１を備えるが、入力シャフト１１の軸線方向に沿って１つ以上のサイクロイドローター（１３、１４）を配置することができる。
【００４３】
減速部１は、サイクロイドローター（１３、１４）を偏心回転させて所定の減速比に応じて回転速度を減らすことができる構造でなされている。通常、サイクロイドローターが偏心回転しながら振動を誘発するようになるが、このような振動を抑制することができるように１つ以上のローター、好ましくは２つのサイクロイドローター（１３、１４）を軸線方向に配置する。
【００４４】
サイクロイドローター（１３、１４）は、これの内部領域に円周方向へ等間隔で離隔配置された貫通孔（１３６、１４６）内で多数のローターピン１６を後段側に向けて伸長されるように挿入配置する。多数のローターピン１６は、図示されたように、軸線方向に積層されている１つ以上のサイクロイドローター（１３、１４）の位置選定を支援する一方、出力シャフト２１の収容溝２１２に結合される。サイクロイドローター（１３、１４）の偏心回転が、軸線方向に一列に配列された貫通孔（１３６、１４６）内に配置された各々のローターピン１６をサイクロイド回転方向に強制的に回転させながら減速比に応じて、入力シャフトの入力トルクを出力シャフトに軸結合して出力トルクに伝達されるように回転させる。
【００４５】
貫通孔（１３６、１４６）は、ローターピン１６のサイズよりも大きい直径を有するようにする。貫通孔（１３６、１４６）は、サイクロイドローター（１３、１４）の偏心回転を保障できるようにローターピン１６の外形よりも大きいサイズに形成されなければならないだろう。選択可能になるように、貫通孔（１３６、１４６）は、円形断面の中空部に形成され得る。貫通孔が円筒型のローターピン１６と対応する形状に形成され、ローターピン１６が貫通孔（１３６、１４６）の内周面と接触しながら回動できるにする。なお、貫通孔の内周面と円筒型のローターピンの外周面が互いに対応する形状で構成されているため、回動時に貫通孔とローターピンの摩耗を著しく減らすことができる。
【００４６】
さらに、本発明は、ローターピン１６を内部に中空部１６１（図１０参照）を有する円筒型部材で形成されるが、好ましくは、弾性変形可能な材質で製作することができる。すなわち、ローターピン１６は、中が空いている円筒型の構造を有しているため、ローターピンは、サイクロイドローターの偏心回転時に貫通孔（１３６、１４６）の内周面と接触されながら、貫通孔（１３６、１４６）の内径形状と対応されるようにローターピンの形状を変形させることができる。これはローターピン１６とサイクロイドローターの貫通孔（１３６、１４６）との間の応力緩和だけでなく、バックラッシュを無くすことができるようにする。サイクロイドローターの貫通孔内に配置されたローターピンの変形状態は、図12を参照して、さらに詳しく説明する。
【００４７】
ちなみに、本発明は、偏心回転時にサイクロイドローター（１３、１４）の貫通孔（１３６、１４６）内周面とローターピン１６との間の摩擦力を低減させるために、貫通孔（１３６、１４６）の内周面の周りにチューブ（tube）型ブッシュ１７を配置する。チューブ型ブッシュ（bush）１７は、低い摩擦係数を有する合成樹脂、例えばテフロン（登録商標）で製作され得る。チューブ型ブッシュ１７は、前述したように低い摩擦係数の回転を可能にするだけでなく、ローターピンと貫通孔の接触時に騒音や振動を低減させることもできる。
【００４８】
本発明では、中空型入力シャフト１１は、軸線方向に積層配列された２つのサイクロイドローター（１３、１４）の間に、ディスク型ブッシュ１８を介在する。ディス型ブッシュ１８は、スラスト方向に予圧を付与して、２つのサイクロイドローター（１３、１４）の間に遊び（裕隔）を除去することができるようにする。好ましくは、ディスク型ブッシュ１８は、低い摩擦係数を有する合成樹脂、例えばテフロンで製作され得る。ディスク型ブッシュ１８は、サイクロイドローター上に両面テープ、接着剤などの多様な方式で位置固定され得る。
【００４９】
ディスク型ブッシュ１８は、サイクロイドローター（１３、１４）との間にだけ限定されるように配置されずに、隣接の構成部材との遊び現象を除去し、低い摩擦状態で隣接できるように、多様な部位に配置され得る。例えば、ディスク型ブッシュ１８は、ハウジング１２の環状のプレート１２１の内側面とサイクロイドローター１４との間の接触部位である積層配列された１つ以上のサイクロイドローターの前段側に、そしてハウジングカバー２２の環状のプレート２２１の内側面とサイクロローター１３との間の接触部位である積層配列された１つ以上のサイクロイドローターの後段側にも選択的に配置可能である。
【００５０】
選択可能になるように、ディスク型ブッシュ１８は、２つのサイクロイドローター（１３、１４）の貫通孔（１３６、１４６）に収容されたローターピン１６の貫通を許容できるよう貫通孔（１３６、１４６）に対応するように挿通孔１８６を形成することもできる。
【００５１】
出力部２は、減速部１のサイクロイドローター（１３、１４）から伝達されたトルクを外部に伝達する中空型出力シャフト２１と、この出力シャフト２１を取り囲む空中型のハウジングカバー２２と、出力シャフト２１の外周面の周囲に配置された第５のベアリングＢ５と、出力シャフト２１のジャーナル２１３の外周面の周囲に配置された第６のベアリングＢ６と、ハウジングカバー２２に向けて第６のベアリングＢ６の軸線方向に予圧（preload）を付与するディスクスプリング２３と、で構成されている。
【００５２】
中空型出力シャフト２１は、中空型、あるいは円筒型の本体（body）２１１と、この本体２１１の一面の中心部から外部方向（後段側）に長さ延長された中空型あるいは円筒型のジャーナル（journal）２１３と、本体２１１の他面（前段側）にローターピン１６の一端部を収容する多数の収容溝２１２と、を備える。多数の収容溝２１２は、本体２１１の他面に円周方向に等間隔で離隔配置され得る。
【００５３】
ハウジングカバー２２は、サイクロイドローターの収容空間を形成するハウジング１２の後段側の解放部を覆いかぶせられるように前段側を開放した中空の円筒型あるいはコップ型の構成部材として、前述したように出力シャフト２１を収容することができる形状に形成されている。ハウジングカバー２２は、内部領域の中央に中心孔２２３を有する環状プレート２２１と、この環状プレート２２１のエッジの周囲に沿って形成された側壁２２２と、で構成されている。中心孔２２３は、中空型出力シャフト２１のジャーナル２１３の貫通を許容できるサイズと形状に形成されるが、中心孔２２３エッジに隣接している環状プレート２２１の内部面に段差部２２４を形成している。段差部２２４は、環状のプレート２２１の内部面に第６のベアリングＢ６の安着を助ける。
【００５４】
第６のベアリングＢ６は、出力シャフト２１のジャーナル２１３を軸支持するためにボールベアリングを採用することができ、これに限定されず、多様なタイプのベアリングに置き換え可能である。出力部２は、スラスト（thrust）方向の荷重によって第６のベアリングＢ６と環状のプレート２２２、更に具体的に環状のプレートの段差部２２４の間に遊びを除去するために、出力シャフト２１の本体２１１とジャーナルの交差点にディスクスプリング２３を配置する。ディスクスプリング２３は、第６のベアリングＢ６を後段側、言い換えれば軸線方向に予圧を加え、出力シャフト２１の回転時に摩耗、騒音、振動などを未然に防止することができる。ディスクスプリング２３は、図示されたように、リング（ring）状に形成され、第６のベアリングＢ６の内輪部位と接触することができるようにする。ディスクスプリング２３は、例えばウレタン素材、合成樹脂などで製作されることができ、弾性力を備えスプリング効果を提供することができる任意の材料であっても構わないだろう。
【００５５】
図１０は、弾性変形可能なローターピンの多様な実例を図解した図面である。
【００５６】
ローターピン１６は、サイクロイドローターの偏心回転時に貫通孔（１３６、１４６）との接触に加わる外力のため弾性変形可能な構造を提供することができる中空部を有する円筒型の部材である。ローターピン１６の上段部は、出力シャフト２１の収容溝２１２に軸結合され、ローターピン１６の下段部は、サイクロイドローター（１３、１４）の貫通孔（１３６、１４６）内に配置される（図４を参照）。
【００５７】
図１０（ａ）は、内部に中空部１６１を備えて上部を閉鎖した円筒型のローターピン１６を図解しており、中空部１６１によって外力が加わると容易に弾性変形を提供することができる。
【００５８】
図１０（ｂ）は、内部に中空部１６１を備えて上部を閉鎖した円筒型のローターピン１６’を図解しており、側面の下段部から長さ方向にスロット１６２を追加で備える。外力が加わると、ローターピン１６’は、中空部１６１によって、より容易に弾性変形を可能にする。
【００５９】
図１０（ｃ）は、内部に中空部１６１を備えたチューブ型のローターピン１６”を図解しており、中空部１６１によって外力が加わると、容易に弾性変形を提供することができる。
【００６０】
図１０（ｄ）は、内部に中空部１６１を備えて側面の下段部から長さ方向に沿って上段部までスロット１６２を追加で備える。外力が加わると、ローターピン１６”は、中空部１６１によって、より容易に弾性変形を可能にする。
【００６１】
図１１は、弾性変形可能なインナーピンの多様な実例を図解した図面である。
【００６２】
インナーピン１５は、サイクロイドローターの偏心回転時に歯形突起（１３５、１４５）との接触から加わる外力にため弾性変形可能な構造を提供することができる中空部を有する円筒型の部材である。インナーピン１５の上段部は、環状のカバー１９に位置固定され、インナーピン１５の下段部は、ハウジング１２の内周面に形成された収容溝１２５内に配置される（図２参照）。
【００６３】
図１１（ａ）は、内部に中空部１５１を有するチューブ型のインナーピン１５を図解しており、中空部１５１によって外力が加わると、容易に弾性変形を提供することができる。
【００６４】
図１１（ｂ）は、内部に中空部１６１を備えて側面の下端部から長さ方向に沿って上段部までスロット１５２を追加で備える。外力が加わると、インナーピン１５’は、中空部１５１によって、より容易に弾性変形を可能にする。
【００６５】
図１１（ｃ）は、内部に中空部１５１を備えて上部を閉鎖した円筒型のインナーピン１５”を図解しており、中空部１５１によって外力が加わると容易に弾性変形を提供することができる。
【００６６】
図１１（ｄ）は、内部に中空部１５１を備えて上部を閉鎖した円筒型のインナーピン１５’’’を図解しており、側面の下段部から長さ方向にスロット１５２を追加で備える。外力が加わると、インナーピン１５’’’は、中空部１５１によって、より容易に弾性変形を可能にする。
【００６７】
図１２は、サイクロイドローターの貫通孔（１３６、１４６）とローターピンとの間の接触部位に応じた応力分布として、図１２（ａ）は、本発明の弾性変形可能な中空（hollow）型のローターピンの応力分布であり、図１２（ｂ）は、従来技術によるソリッド（solid）型のローターピンの応力分布図である。今度の実験は、貫通孔の内周面にチューブ型ブッシュを取り外した状態で実施した。
【００６８】
図１２（ａ）は、前述したように弾性変形可能に中空（中が空いている）型のローターピンが遊びなく軸線方向に積層配列された２つのサイクロイドローターに形成された貫通孔（１３６、１４６）に挿入された状態下で部品間の接触部位の応力分布を図解している。図示されたように、ローターピン１６は、貫通孔（１３６、１４６）の接触内周面と同一である形状に弾性変形されて、ローターピンと貫通孔との間にバックラッシュの除去を可能にするだけでなく、応力が分散されて、相互間の円滑な回転を保障することができる。
【００６９】
図１２（ｂ）は、ソリッド（中がいっぱい詰まっている）型のローターピンが遊びなく軸線方向に積層配列された２つのサイクロイドローターに形成された貫通孔（１３６、１４６）に挿入された状態下で部品間の接触部位の応力分布を図解している（０．１ｍｍの＋誤差付与）。図示されたように、ローターピンは、貫通孔（１３６、１４６）の内部に強制嵌め込み方式で配置されてローターピンと貫通孔の間にバックラッシュ除去を達成することができるが、接触部位に応力集中があり、かなりの摩擦力が発生して、相互間の回転が円滑にならないため騒音・振動を伴うしかない。
【００７０】
ちなみに、本発明のインナーピンも、サイクロイドローターの歯形突起と噛み合う間にバックラッシュを防止することができるように弾性変形可能な構造を採択しており、前述した中空型ローターピンと類似した構造を備えており、歯形突起との接触時に応力分散を期待することができる。
【００７１】
以上、本発明は、実施形態を通して詳しく説明されたが、これは本発明を具体的に説明するためであって、本発明によるバックラッシュ防止機能を有するサイクロイド減速機は、これに限定されず、本発明の技術的思想内で当該分野の通常の知識を有する者（当業者）によってその変形や改良が可能であることは明らかになる。
【００７２】
本発明の単純な変形及び変更は、すべて本発明の範囲に属するものであって、本発明の具体的な保護範囲は、添付された特許請求の範囲によって明確になるだろう。
【図１】
2020533545.tif 000003
【図２】
2020533545.tif 000004
【図３】
2020533545.tif 000005
【図４】
2020533545.tif 000006
【図５】
2020533545.tif 000007
【図６】
2020533545.tif 000008
【図７】
2020533545.tif 000009
【図８】
2020533545.tif 000010
【図９】
2020533545.tif 000011
【図１０（ａ）】
2020533545.tif 000012
【図１０（ｂ）】
2020533545.tif 000013
【図１０（ｃ）】
2020533545.tif 000014
【図１０（ｄ）】
2020533545.tif 000015
【図１１（ａ）】
2020533545.tif 000016
【図１１（ｂ）】
2020533545.tif 000017
【図１１（ｃ）】
2020533545.tif 000018
【図１１（ｄ）】
2020533545.tif 000019
【図１２】
2020533545.tif 000020
【国際調査報告】
2020533545.tif 000021
2020533545.tif 000022
2020533545.tif 000023
2020533545.tif 000024